(57)【要約】      （修正有）【課題】異なる複数の通信方式により複数機器が接続された環境下においてアドレス管理に優れた映像表示システム及び制御方法を提供する。【解決手段】表示装置と当該表示装置に接続された無線装置とを備える映像表示システムであって、第１通信方式により１以上の外部無線装置と通信し、１以上の外部無線装置の第１通信方式に関するアドレス値を受信する受信手段と、映像表示システムに関する第２通信方式に関するアドレスと、受信された１以上の外部無線装置の第１通信方式に関するアドレスとに基づいた、１以上の外部無線装置の第２通信方式に関するアドレスを、１以上の外部無線装置の第１通信方式に関するアドレスに割り当てる割り当て手段とを備え、無線装置は、１以上の無線装置から送信された映像を受信する。【選択図】図６
2012034373.tif 000002
【特許請求の範囲】
【請求項１】
表示装置と当該表示装置に接続された無線装置とを備える映像表示システムであって、
第１通信方式により１以上の外部無線装置と通信し、前記１以上の外部無線装置の前記
第１通信方式に関するアドレス値を受信する受信手段と、
前記映像表示システムに関する第２通信方式に関するアドレスと、受信された前記１以
上の外部無線装置の前記第１通信方式に関するアドレスとに基づいた、前記１以上の外部
無線装置の前記第２通信方式に関するアドレスを、前記１以上の外部無線装置の前記第１
通信方式に関するアドレスに割り当てる割り当て手段と
を備え、
前記無線装置は、前記１以上の無線装置から送信された映像を受信する、映像表示シス
テム。
【請求項２】
前記割り当て手段は、前記映像表示システムに関する第２通信方式に関するアドレスと
、受信された前記１以上の外部無線装置の前記第１通信方式に関するアドレスと、所定規
則とに基づいた前記１以上の外部無線装置の前記第２通信方式に関するアドレスを、前記
１以上の外部無線装置の前記第１通信方式に関するアドレスに割り当てる、請求項１記載
の映像表示システム。
【請求項３】
前記１以上の外部無線装置のうち１の装置と前記第１の通信方式により無線接続し、当
該１の装置に切替指示と当該切替指示を通過させる指示とを送信する送信手段を更に備え
、
前記割り当て手段は、前記映像表示システムに関する第２通信方式に関するアドレスと
、受信された前記１以上の外部無線装置の前記第１通信方式に関するアドレスと、所定規
則とに基づいた、前記１以上の外部無線装置の前記第２通信方式に関するアドレスを、前
記１以上の外部無線装置の前記第１通信方式に関するアドレスに割り当て、
前記切替指示は、前記第１の通信方式に関するアドレス値と所定規則とに基づいたアド
レス値であって、前記１の装置に対して前記第２の通信方式により接続された接続装置の
前記第２の通信方式に関する第１アドレス値を含み、
前記送信手段は、前記第１アドレス値と前記所定規則とに基づき前記接続装置の前記第
１通信方式に関する第２アドレス値を算出し、前記第２アドレス値に基づき前記１の装置
と接続する、請求項１記載の映像表示システム。
【請求項４】
表示装置と当該表示装置に接続された無線装置とを備える映像表示システムにおける制
御方法であって、
第１通信方式により１以上の外部無線装置と通信し、前記１以上の外部無線装置の前記
第１通信方式に関するアドレス値を受信することと、
前記映像表示システムに関する第２通信方式に関するアドレスと、受信された前記１以
上の外部無線装置の前記第１通信方式に関するアドレスとに基づいた、前記１以上の外部
無線装置の前記第２通信方式に関するアドレスを、前記１以上の外部無線装置の前記第１
通信方式に関するアドレスに割り当てることと、
前記１以上の無線装置から送信された映像を受信することと、
を備える制御方法。
【発明の詳細な説明】
【技術分野】
【０００１】
本発明は、異なる二つの通信方式に対応した通信装置に関する。例えば無線通信インタ
ーフェース及びHDMI（High Definition Multimedia Interface）（登録商標）を備えた映
像表示システム及び制御方法に関する。
【背景技術】
【０００２】
近年、HDMIを搭載したデジタル機器、例えばTV、DVD プレーヤー、及びDVD レコーダが
普及している。さらに、HDMI規格に規定されるCEC（Consumer Electronics Control）メ
ッセージを無線通信する技術も提案されている（特許文献１参照）。
【０００３】
このように、近年、デジタル機器の通信方式は多様化しており、一台のデジタル機器が
HDMIを介して有線で相手機器と通信したり、また無線で別の相手機器と通信したりするこ
とができる。このような異なる二つの通信方式をサポートしたデジタル機器の登場により
、デジタル機器の様々な接続形態が想定される。
【０００４】
例えば、第１の機器と第２の機器がHDMIを介して接続され、またこの第２の機器と第３
の機器とが無線通信を介して接続され、さらにこの第３の機器と第４及び第５の機器とが
HDMIを介して接続されるような接続形態が想定される。
【先行技術文献】
【特許文献】
【０００５】
【特許文献１】特開２００８−２２５６０
【発明の概要】
【発明が解決しようとする課題】
【０００６】
しかしながら、上記した接続形態では、HDMIを介した通信方式用のアドレスを適切に割
り振ることが難しい。それは、上記した接続形態の途中に、HDMIを介した通信方式と異な
る通信方式の無線通信が介在しているからである。
【０００７】
本発明の目的は、異なる複数の通信方式により複数機器が接続された環境下においてア
ドレス管理に優れた映像表示システム及び制御方法を提供することにある。
【課題を解決するための手段】
【０００８】
この発明の一実施形態に係る映像表示システムは、表示装置と当該表示装置に接続され
た無線装置とを備える映像表示システムであって、第１通信方式により１以上の外部無線
装置と通信し、１以上の外部無線装置の第１通信方式に関するアドレス値を受信する受信
手段と、映像表示システムに関する第２通信方式に関するアドレスと、受信された１以上
の外部無線装置の第１通信方式に関するアドレスとに基づいた、１以上の外部無線装置の
第２通信方式に関するアドレスを、１以上の外部無線装置の第１通信方式に関するアドレ
スに割り当てる割り当て手段とを備え、無線装置は、１以上の無線装置から送信された映
像を受信する。
【図面の簡単な説明】
【０００９】
【図１】本発明の一実施形態に係る通信装置を構成する送信装置の概略を示すブロック図である。
【図２】本発明の一実施形態に係る通信装置を構成する受信装置の概略を示すブロック図である。
【図３】本発明の一実施形態に係る通信装置を適用した通信システムの概略構成を示す図である。
【図４】Nativeと呼ばれる無線機器のみで構成された通信システムの一例と、Pass Through と呼ばれる一対の無線機器を含む通信システムの一例を示す図である。
【図５】本発明の一実施形態に係る通信装置を適用した通信システムの概略構成を示す図である。
【図６】第一のアドレス処理方法の一例を示す図である。
【図７】第一のアドレス処理方法におけるアドレス置き換え処理の別の例を示す図である。
【図８】第二のアドレス処理方法の一例を示す図である。
【図９】アドレス通知方法の一例を示す図である。
【図１０】経路切替方法の一例を示す図である。
【図１１】第一のアドレス処理方法の一例を示すフローチャートである。
【図１２】第二のアドレス処理方法の一例を示すフローチャートである。
【図１３】アドレス通知方法の一例を示すフローチャートである。
【図１４】経路切替方法を示すフローチャートである。
【発明を実施するための形態】
【００１０】
以下、図面を参照し、本発明の実施形態について説明する。
図１は、本発明の一実施形態に係る通信装置を構成する送信装置の概略を示すブロック
図である。図１に示すように、送信装置は、無線PHY１０１、無線MAC１０２、映像伝送部
１０３、HDMI受信部１０４、AVCコマンド制御部１０５、アドレス記憶部１０６、アドレ
ス管理部１０７、コマンド処理部１０８、スイッチ制御部１０９、CECコマンド制御部１
１０、HDMIスイッチ部１１１、EDID１２１、EDID１２２、EDID１２３、HDMI入力端子１３
１、HDMI入力端子１３２、HDMI入力端子１３３を備えている。
【００１１】
HDMIスイッチ部１１１は、各HDMI入力端子１３１、１３２、１３３の映像線及びアドレ
ス線から入力された映像信号およびアドレス信号を含む入力信号のうちの１つを選択し、
HDMI受信部１０４に伝送する。HDMI受信部１０４は映像信号を映像伝送部１０３に伝送す
る。映像伝送部１０３は映像信号を無線伝送可能なパケット形式に変換し無線MAC部１０
２に送る。無線MAC部１０２は無線PHY部１０１に映像パケットを伝送し、無線PHY１０１
より映像パケットを無線送出する。
【００１２】
一方で、各HDMI入力端子１３１、１３２、１３３のコマンド線から入力されたコマンド
信号は、HDMIスイッチ部１１１を介さずにすべてCECコマンド制御部１１０に伝送される
。CECコマンド制御部１１０は、コマンド線経由で受信したコマンドをコマンド処理部１
０８に伝送する。またCECコマンド制御部１１０はコマンド処理部１０８からの指示に応
じ、コマンドをコマンド線に送信する。コマンド処理部１０８はCECコマンド制御部１１
０やAVCコマンド制御部１０５から受け取ったコマンドを処理し、処理内容に応じて、AVC
コマンド制御部１０５、CECコマンド制御部１１０、スイッチ制御部１０９、アドレス管
理部１０７に指示を出す。スイッチ制御部１０９はコマンド処理部１０８から指示に応じ
、HDMIスイッチ部１１１を制御する。アドレス管理部１０７はコマンド処理部１０８の指
示に応じ、各EDID１２１、１２２、１２３へのHDMI物理アドレス値の設定やアドレス記憶
部１０６の管理を行う。アドレス記憶部１０６はアドレス内容を記憶する。EDIDは、各HD
MI入力端子１３１、１３２、１３３に接続された機器に通知するアドレスなどの情報を含
む。AVCコマンド制御部１０５は、コマンド処理部１０８の指示に応じて、無線部MAC１０
２へのコマンド送信や、受信したAVCコマンドの内容をコマンド処理部１０８に伝送する
。無線MAC１０２は無線伝送のMACレイヤの処理を行う。無線PHY１０１は無線伝送の物理
レイヤの処理を行う。
【００１３】
図２は、本発明の一実施形態に係る通信装置を構成する受信装置の概略を示すブロック
図である。図２に示すように、受信装置は、無線PH２０１、無線MAC２０２、映像伝送部
２０３、HDMI受信部２０４、AVCコマンド制御部２０５、アドレス記憶部２０６、アドレ
ス管理部２０７、コマンド処理部２０８、CECコマンド制御部２１０、HDMI出力端子２３
１、HDMI入力端子２３２、HDMI入力端子２３３を備えている。
【００１４】
無線PHY２０１は、無線から映像パケットを受信し無線MAC２０２に伝送するともに、AV
Cコマンド送受信の物理レイヤの処理を行う。無線MAC部２０２は映像パケットを映像伝送
部２０３に送る。映像伝送部２０３は受信した映像パケットを映像信号に変換し、HDMI送
信部２０４に伝送する。HDMI送信部２０４は、受信した映像信号をHDMI出力端子２３１に
送出する。AVCコマンド制御部２０５は、コマンド処理部２０８からの指示や、無線MAC２
０２からの通知に従い、AVCコマンドの送受信処理を行う。コマンド処理部２０８はCECコ
マンド制御部２１０やAVCコマンド制御部２０５から受信したコマンドを処理し、必要に
応じて、アドレス管理部２０７やCECコマンド制御部２１０、AVCコマンド制御部２０５に
指示を出す。CECコマンド制御部２１０はコマンド処理部２０８の指示に応じて、コマン
ド線へCECコマンドを伝送、またコマンド線から受信したCECコマンドのコマンド処理部２
０８への通知を行う。アドレス管理部２０７はコマンド処理部２０８からの指示や、HDMI
送信部２０４のアドレス線経由で受信したHDMI出力端子２３１に接続された機器のEDIDに
含まれるHDMI物理アドレス値に基づき、アドレス処理を行い結果をアドレス記憶部２０６
に記録する。
【００１５】
上記の通り、送信装置及び受信装置を備えた通信装置について説明したが、本発明の通
信装置はこれに限定されるものではない。例えば、情報の送信処理だけに着目した場合、
上記した送信装置を通信装置と見なすこともできるし、情報の受信処理だけに着目した場
合、上記した受信装置を通信装置と見なすこともできる。
【００１６】
図３は、本発明の一実施形態に係る通信装置を適用した通信システムの概略構成を示す
図である。図３に示すように、例えば、通信システムは、ＴＶ１、無線受信装置２、無線
送信装置３、無線送信装置４、デバイス５、及びデバイス６を備えている。
【００１７】
無線受信装置２および無線送信装置３、４には、ステーションＩＤ(STID)と呼ばれるア
ドレス値が設定され、これにより無線機器間での通信を行う。STIDは0x00〜0x3Dの値をと
る。無線機器には、HDMI入力端子を持つ機器、あるいはHDMI出力端子を持つ機器があり、
無線機器はHDMIケーブルを介してTVや各種デバイスに接続される。HDMI端子をもつTVやデ
バイスにはHDMI物理アドレスが付与される。HDMI物理アドレスはEDIDに含まれ、アドレス
線を介して下流(映像信号の受信側)から上流(映像信号の送信側)に伝達される。
【００１８】
図４Ａは、Nativeと呼ばれる無線機器のみで構成された通信システムの一例を示す図で
あり、図４Ｂは、Pass Through と呼ばれる一対の無線機器を含む通信システムの一例を
示す図である。図４Ａの通信システムでは、HDMI機器が存在しないため、HDMIによる通信
のためのアドレスの割り振りは生じない。一方の図４Ｂの通信システムでは、Pass Throu
gh と呼ばれる一対の無線機器を介して、HDMI機器が接続されている。このケースでは、
接続されたHDMI機器が一対一のため、HDMIによる通信のためのアドレスの割り振りは比較
的容易である。
【００１９】
このような通信システムとは異なり、図３に示すような、無線機器を介して１台のHDMI
機器と複数台のHDMI機器とが接続されような通信システムでは、HDMIによる通信のための
アドレスの割り振りは容易ではない。以下、このような通信システムにおけるアドレス管
理について説明する。
【００２０】
図５は、本発明の一実施形態に係る通信装置を適用した通信システムの概略構成を示す
図である。図５に示すように、例えば、通信システムは、ＴＶ１、無線受信装置２、無線
送信装置３、無線送信装置４、デバイス５、及びデバイス６を備えている。図５を参照し
て、アドレス処理と経路切替処理について説明する。本発明の一実施形態に係る通信装置
は、無線受信装置２に適用することもできるし、無線送信装置３に適用することもできる
し、無線送信装置４に適用することもできる。
【００２１】
通信装置は、無線機器（Native）を含む無線送信機器にHDMI物理アドレスを割り当てる
手段（１）、割り当てられたHDMI物理アドレス値をHDMI経由で通知する手段（２）、HDMI
からの経路切替要求に応じて無線区間の経路切替を行う手段（３）を持つ。例えばアドレ
ス管理部１０７、２０７が、これら手段の役割を担う。これにより、無線機器（Native）
と無線機器（Pass Through）の混在を含む、複数無線機器の接続および、経路切替処理が
可能となる。
【００２２】
図６は、第一のアドレス処理方法の一例を示す図である。
本発明の一実施形態に係る通信装置が適用された送信装置（図１参照）のアドレス管理
部１０７は、自機器の無線通信用に割り当てられたSTID（=0x02）と、無線経由で取得し
た送信装置の下流にあるHDMI機器のHDMI物理アドレス値（=0.0.0.0）をもとに、自機器の
物理アドレス値を割り当てる。割り当ては、一例として、下流から取得したHDMI物理アド
レス値の最上位の０の位置(例えば、下流から取得したHDMI物理アドレス値が0.0.0.0なら
一番左の位置が最上位の０の位置であり、下流から取得したHDMI物理アドレス値1.0.0.0
なら左から二番目の位置が最上位の０の位置である)をSTID値で置き換えることにより実
現される。但し、EDIDの各桁は4ビット長であるため、対応するSTID値は0x01〜0x0Fの１
５台分に限られる。この様に図６に記載のアドレス割り当て方法は、簡便である。
【００２３】
アドレス管理部１０７で算出された自機器のHDMI物理アドレスは、アドレス記憶部１０
６に記憶されるとともに、各HDMI入力端子のHDMI物理アドレスの算出に使われる。HDMI物
理アドレス値は、自機器のHDMI物理アドレス値の最上位の０を各端子の端子番号で置き換
えて算出される。算出されたHDMI物理アドレス値は各端子に対応したEDID１２１、１２２
、１２３に記録される。
【００２４】
図１１は、上記した第一のアドレス処理方法の一例を示すフローチャートである。
アドレス管理部１０７が、アドレス記憶部１０６からSTID値を取得する（ＳＴ１０１）
。各無線機器に割り当てられるSTID値は、既存の無線通信方式で規定されたアドレス値の
割り当て方式に基づき割り当てられたものである。続いて、アドレス管理部１０７が、無
線経由で下流のHDMI物理アドレス値を取得する（ＳＴ１０２）。なお、STID値の取得とHD
MI物理アドレス値の取得は、順序が入れ替わってもよいし、並行して行われてもよい。
【００２５】
続いて、アドレス管理部１０７が、取得したHDMI物理アドレス値の最上位の０の位置か
ら、自機器の階層の深さを判定する（ＳＴ１０３）。さらに、アドレス管理部１０７が、
HDMI物理アドレス値の自機器の階層位置をSTID値で置き換え（ＳＴ１０４）、置き換えた
HDMI物理アドレスをアドレス記憶部１０６に保存する（ＳＴ１０５）。
【００２６】
続いて、アドレス管理部１０７が、HDMI入力端子の数の分だけ繰り返し処理を開始する
（ＳＴ１０６〜ＳＴ１０８）。その繰り返し処理で、自機器物理アドレス値の１つ上流の
階層の数値をHDMI入力端子番号で置き換える（ＳＴ１０７）。アドレス管理部１０７が、
置き換えたHDMI物理アドレス値を対応するEDIDに保存する（ＳＴ１０８）。これで、１つ
の端子に対する処理が終了し、さらに、次の端子に対する処理を繰り返す。
【００２７】
図７は、上記した第一のアドレス処理方法におけるアドレス置き換え処理の別の例を示
す図である。
アドレス管理部１０７が、まず自機器のSTID値(６ビット)をビット値に変換して上位３
ビットと下位３ビットに分割する。そして、アドレス管理部１０７が、上位３ビット及び
下位３ビットともに０が現れないように上位３ビット及び下位３ビットを変換する。つま
り、上位３ビットの３ビット目及び下位３ビットの３ビット目ともに０が現れないように
上位３ビット及び下位３ビットを変換する。具体的には、アドレス管理部１０７が、上位
３ビットの３ビット目が０の場合に３ビット目の０を１に置き換えて上位３ビットを生成
し、下位３ビットの３ビット目が０の場合に３ビット目の０を１に置き換えて下位３ビッ
トを生成する。このほかに３ビットすべてが０だった場合に３ビット目に１を設定(0x0→
0x8に変換)する方法も考えられ、上記変換処理に限定されるものではない。さらに、アド
レス管理部１０７は、上記したように変換した値を、それぞれHDMI物理アドレス値の最上
位の０の位置及びこの最上位の０に続く０の位置に設定する。つまり、HDMI物理アドレス
値を構成する４桁の値のうちの上位２桁の０の値を、変換されたアドレス値で置き換える
。これにより台数の制限なく無線機器を登録できるが、HDMI物理アドレス値の階層を２階
層分消費するため、上流に接続可能なHDMI機器の階層数が制限される。
【００２８】
図８は、第二のアドレス処理方法の一例を示す図である。第二のアドレス処理方法では
、各無線送信機器のMACアドレス（及びSTID）に対し、HDMI物理アドレス値を設定する。
このためSTIDの範囲に制限されず、HDMI物理アドレス値の設定が可能となる。
【００２９】
図１２は、上記した第二のアドレス処理方法の一例を示すフローチャートである。
アドレス管理部１０７は、無線送信装置の数の分の繰り返し処理を開始する（ＳＴ２０
１〜ＳＴ２０８）。その繰り返し処理において、まず、アドレス管理部１０７は、無線送
信装置のMACアドレス値およびSTID値を取得する（ＳＴ２０２）。続いて、アドレス管理
部１０７が、当該無線送信装置のHDMI物理アドレスがすでにアドレス記憶部１０６に登録
されているか判断する（ＳＴ２０３）。
【００３０】
当該無線送信装置のHDMI物理アドレスがアドレス記憶部１０６に登録されていない場合
（ＳＴ２０３、ＮＯ）、アドレス管理部１０７は、当該無線送信装置にHDMI物理アドレス
を割り当てて（ＳＴ２０４）、割り当てたHDMI物理アドレスをアドレス記憶部１０６に保
存する（ＳＴ２０５）。さらに、アドレス管理部１０７は、割り当てたHDMI物理アドレス
値を無線伝送装置に通知する（ＳＴ２０６）。
【００３１】
当該無線送信装置のHDMI物理アドレスが既にアドレス記憶部１０６に登録されている場
合（ＳＴ２０３、ＹＥＳ）、アドレス管理部１０７は、STID値が変更されているか確認し
（ＳＴ２０７）、STID値が変更されていれば（ＳＴ２０７、ＹＥＳ）、STID値を更新する
（ＳＴ２０８）。つまり、機器接続の構成が変更されていれば、変更に応じてSTID値を更
新する。
【００３２】
これで、１つの無線送信装置に対する処理が終了し、さらに、次の無線送信装置に対す
る処理を繰り返す。
図９は、アドレス通知方法の一例を示す図である。
無線受信装置２のアドレス管理部２０７は、HDMI経由で下流のTV１のHDMI物理アドレス
値を受信し、無線通信経由で上流の無線送信装置３、４のSTIDを受信し、受信した下流の
TV１のHDMI物理アドレス値と受信した上流の無線送信装置３、４のSTIDに基づき、図６、
図７、又は図８に示すアドレス割り当て処理の逆の処理を辿ることにより、上流の無線送
信装置３、４のHDMI物理アドレス値を算出する。さらに、アドレス管理部２０７は、算出
結果をコマンド（<Report Physical Address>）でTV１に通知する。
【００３３】
図１３は、上記したアドレス通知方法の一例を示すフローチャートである。
無線受信装置２のアドレス管理部２０７は、HDMI経由で下流の機器（図９のＴＶ１）の
HDMI物理アドレス値を取得する（ＳＴ３０１）。続いて、無線送信装置の台数の分（図９
の無線送信装置３、４）の繰り返し処理を開始する（ＳＴ３０２〜ＳＴ３０５）。その繰
り返し処理において、まず、アドレス管理部２０７は、無線通信経由で上流の無線送信装
置のSTID値を取得する（ＳＴ３０３）。続いて、下流のHDMI物理アドレス値と上流の無線
送信装置のSTID値から、上流の無線送信装置のHDMI物理アドレス値を算出する（ＳＴ３０
４）。この算出処理は、図６、図７、又は図８で説明したアドレスの割り当て処理の逆の
処理である。さらに、アドレス管理部２０７は、算出した上流の無線送信装置のHDMI物理
アドレス値をコマンド（<Report Physical Address>）で下流の機器に通知する（ＳＴ３
０５）。
【００３４】
これで、１つの無線送信装置に対する処理が終了し、さらに、次の無線送信装置に対す
る処理を繰り返す。
図１０は、経路切替方法の一例を示す図である。
無線受信装置２のアドレス管理部２０７は、HDMI経由で下流のTV1からコマンド（<Set 
Stream Path>）を受信した場合、そのコマンドに含まれる引数から無線接続先の無線送信
装置のSTID値を算出する。つまり、図６、図７、又は図８で説明したアドレスの割り当て
処理を利用し、コマンドに含まれる引数から無線接続先の無線送信装置のSTID値を算出す
ることができる。無線受信装置２は、算出されたSTID値を持つ無線送信装置４に対し接続
処理（CONNECT処理）を行うとともに、受信したコマンド（<Set Stream Path>）を同じ無
線送信装置４にパススルー（PASS THROUHG）伝送する。
【００３５】
図１４は、上記した経路切替方法を示すフローチャートである。
まず、無線受信装置のアドレス管理部２０７が、HDMI経由で下流の機器からコマンド（
<Set Stream Path>）を受信する（ＳＴ４０１）。続いて、アドレス管理部２０７が、図
６、図７、又は図８で説明したアドレスの割り当て処理を利用し、そのコマンドに含まれ
る引数のHDMI物理アドレス値から、接続先の無線送信装置のSTID値を算出する（ＳＴ４０
２）。続いて、無線受信装置は、算出したSTID値を持つ無線送信装置と接続処理（CONNEC
T処理）を行い（ＳＴ４０３）、無線送信装置に対してコマンド（<Set Stream Pass>）を
パススルー（PASS THROUGH）送信する（ＳＴ４０４）。
【００３６】
以上により、HDMI機器が接続されていない無線機器（Native）とHDMI機器が接続されて
いる無線機器（Pass Through）とが複数混在した環境で、かつ複数の無線装置が存在する
環境で、映像伝送および経路切替などのコマンド操作に対応できる。
【００３７】
以下に、本実施形態についてまとめる。
本発明の一実施形態に係る通信装置は、伝送路Ａ（Wireless HD）経由の通信手段を有
し、伝送路Ｂ(HDMI)上で使われるアドレスの割り当て手段を有する。例えば、アドレスの
割り当て手段は、伝送路Ｂ上のアドレスを伝送路Ａ上のアドレスを元に割り当てる。或い
は、アドレスの割り当て手段は、変換テーブルに基づき伝送路Ｂ上のアドレスを割り当て
る。
【００３８】
また、上記した通信装置は、伝送路Ａ経由で取得した伝送路Ｂ上のアドレスを、別の伝
送路Ｂ上に通知する手段を有する。
さらに、上記した通信装置は、伝送路Ｂ上の経路切替要求を受信した時に、伝送路Ａ上
の経路を確立と、伝送路Ａの先にある別の伝送路Ｂ上への経路切替要求の転送を行う手段
を有する。
【００３９】
なお、本願発明は、上記実施形態に限定されるものではなく、実施段階ではその要旨を
逸脱しない範囲で種々に変形することが可能である。また、各実施形態は可能な限り適宜
組み合わせて実施してもよく、その場合組み合わせた効果が得られる。更に、上記実施形
態には種々の段階の発明が含まれており、開示される複数の構成要件における適当な組み
合わせにより種々の発明が抽出され得る。例えば、実施形態に示される全構成要件からい
くつかの構成要件が削除されても、発明が解決しようとする課題の欄で述べた課題が解決
でき、発明の効果の欄で述べられている効果が得られる場合には、この構成要件が削除さ
れた構成が発明として抽出され得る。
【符号の説明】
【００４０】
１０１…無線PHY、１０２…無線MAC、１０３…映像伝送部、１０４…HDMI受信部、１０
５…AVCコマンド制御部、１０６…アドレス記憶部、１０７…アドレス管理部、１０８…
コマンド処理部、１０９…スイッチ制御部、１１０…CECコマンド制御部、１１１…HDMI
スイッチ部、１２１、１２２、１２３…EDID、１３１、１３２、１３３…HDMI入力端子、
２０１…無線PH、２０２…無線MAC、２０３…映像伝送部、２０４…HDMI受信部、２０５
…AVCコマンド制御部、２０６…アドレス記憶部、２０７…アドレス管理部、２０８…コ
マンド処理部、２１０…CECコマンド制御部、２３１、２３２、２３３…HDMI出力端子
【図１】
2012034373.tif 000003
【図２】
2012034373.tif 000004
【図３】
2012034373.tif 000005
【図４】
2012034373.tif 000006
【図５】
2012034373.tif 000007
【図６】
2012034373.tif 000008
【図７】
2012034373.tif 000009
【図８】
2012034373.tif 000010
【図９】
2012034373.tif 000011
【図１０】
2012034373.tif 000012
【図１１】
2012034373.tif 000013
【図１２】
2012034373.tif 000014
【図１３】
2012034373.tif 000015
【図１４】
2012034373.tif 000016